(57)【要約】  【課題】  光源装置に対する感電防止対策を抜本的に行うと共に、不要輻射の抑制等を図る。  【解決手段】  光源装置１１は導電性リフレクタ１３を適用し、接地した導電性リフレクタ１３と放電管１４の陰極接続部とを接続すると共に、トリガー巻線の延出端を導電性リフレクタ１３に接続してトリガー巻線と陰極接続部とを導電性リフレクタ１３を介して接続する。バラスト装置１２は、内部を一次側回路部１２ａ及び二次側回路部１２ｂに絶縁して区分けすると共に、トランス２３で一次側回路部１２ａから二次側回路部１２ｂへ絶縁状態で電力を伝送する。二次側のバラスト制御部２２及び一次側のスイッチング制御部２０の間の信号伝送に対しては、フォトカプラ２４を設けて絶縁状態で信号伝送を可能にする。【選択図】      図１
2006286594.tif 000002
【特許請求の範囲】
【請求項１】
一端に陽極接続部、他端に陰極接続部を有する放電管の他端を凹状の導電性リフレクタに形成した貫通孔に挿通して、前記放電管を前記導電性リフレクタの内部に配置した光源装置において、
前記導電性リフレクタの外周面及び前記放電管の陰極接続部を接続する接続部材を備えることを特徴とする光源装置。
【請求項２】
前記放電管は、一端が前記導電性リフレクタの内部へ突出するように配置してあり、
前記放電管の一端側の周囲には、トリガー巻線が巻回してあり、
前記トリガー巻線は、前記放電管に巻回した部分から延出させた端部を前記導電性リフレクタに接続してあることを特徴とする請求項１に記載の光源装置。
【請求項３】
前記放電管の長手方向が前記導電性リフレクタの凹状の頂点を通過する中心軸と直交するように、前記放電管は配置してあり、
前記導電性リフレクタには、前記放電管の一端側の管部を外嵌する第１貫通孔及び前記放電管の他端側の管部を外嵌する第２貫通孔が形成してある請求項１に記載の光源装置。
【請求項４】
前記放電管は、両端側の管部間にチャンバー部を形成しており、
前記第１貫通孔の導電性リフレクタの内周面側の孔縁は、前記一端側の管部のチャンバー部側となる端部分を外嵌する請求項３に記載の光源装置。
【請求項５】
一端に陽極接続部、他端に陰極接続部を有する放電管の一端を凹状の導電性リフレクタに形成した貫通孔に挿通して、他端が前記導電性リフレクタの内部へ突出するように前記放電管を配置した光源装置において、
前記導電性リフレクタ及び前記放電管の陰極接続部を接続する接続部材と、
前記貫通孔の孔縁より前記導電性リフレクタの内部へ突出して前記放電管の一端側の管部を外嵌する外嵌部と
を備えることを特徴とする光源装置。
【請求項６】
前記導電性リフレクタには、接地用の接地部が設けてある請求項１乃至請求項５のいずれか１つに記載の光源装置。
【請求項７】
電源装置からの給電に基づき光源装置へ印加する電圧の生成及び光源装置の点灯に係る制御を行う回路を有するバラスト装置において、
電源装置に接続される側の一次側回路部と、
該一次側回路部に対して絶縁してあり、光源装置へ印加する電圧の生成を行う二次側回路部と、
前記一次側回路部及び二次側回路部の間で電力を伝送する電力伝送手段と
を備えることを特徴とするバラスト装置。
【請求項８】
前記一次側回路部は、定電力点灯に係るスイッチング制御を行うスイッチング制御部を備え、
前記二次側回路部は、光源装置に印加する電圧を発生する電圧発生部及び該電圧発生部の電圧発生状況に基づいて前記スイッチング制御部へ信号を出力するバラスト制御部を備え、
前記一次側回路部及び二次側回路部の間で信号を伝送する信号伝送手段を備える請求項７に記載のバラスト装置。
【請求項９】
前記請求項１乃至請求項６のいずれか１つに記載の光源装置と、
該光源装置に接続してある前記請求項７又は請求項８に記載のバラスト装置と
を備えることを特徴とする光源システム。
【請求項１０】
前記請求項６に記載の光源装置と、
該光源装置に接続してある前記請求項７又は請求項８に記載のバラスト装置と
を備え、
前記バラスト装置は、前記二次側回路部に二次側接地部を設けており、
該二次側接地部に前記光源装置の接地部が接続してあることを特徴とする光源システム。
【請求項１１】
一端に陽極接続部及び他端に陰極接続部を有する放電管と、該放電管を内部に配置する凹状の導電性リフレクタと、該導電性リフレクタ及び前記放電管の陰極接続部を接続する接続部材と、前記導電性リフレクタに設けてある接地用の接地部とを備える光源装置と、
該光源装置に接続してある前記請求項７又は請求項８に記載のバラスト装置と
を備え、
前記バラスト装置は、前記二次側回路部に二次側接地部を設けており、
該二次側接地部に前記光源装置の接地部が接続してあることを特徴とする光源システム。
【請求項１２】
前記請求項９乃至請求項１１のいずれか１つに記載の光源システムと、
該光源装置から発せられる光で画像に係る変調光を生成する空間光変調素子と、
該空間光変調素子が生成した変調光を被投影体へ投影する投影レンズと、
前記光源システムの一次側回路部をシールドする一次側シールド部と、
前記光源システムの光源装置及び二次側回路部をシールドする二次側シールド部と
を備え、
前記二次側シールド部には、光源装置から発せられる光を通過させる開口が設けてあることを特徴とする投影型画像表示装置。
【発明の詳細な説明】
【技術分野】
【０００１】
本発明は、光源装置の構造及びバラスト装置の回路構成を改良することにより、光源装置に対する感電を根本的に防止すると共に、小型化、トリガー巻線に係る形態の簡易化、及び不要輻射の低減等を達成した光源装置、バラスト装置、光源システム、及び投影型画像表示装置に関する。
【背景技術】
【０００２】
従来、画像を表す光を投射してスクリーンに画像表示を行う投影型画像表示装置（プロジェクタ）が存在し、プロジェクタの種類としてはスクリーンの表側から投影を行うフロントプロジェクション方式と、スクリーンの裏側から投影を行うリアプロジェクション方式がある。
【０００３】
図９は、従来のフロントプロジェクション方式のプロジェクタ２００の外観を示している。プロジェクタ２００は、ボックス状の筐体２００ａの前面２００ｂに画像を表す光を投影する投影レンズ２１６を設けている。また、図１０は、プロジェクタ２００の光学系の概略的な構成の一例を示しており、光学系では光源装置２に対向してカラーホイール２１０が配置されると共に、光源装置２から放射される光線の進行方向においてカラーホイール２１０より下流となる側へ順にロッドレンズ２１１、コンデンサレンズ２１２、ＴＩＲプリズム２１３、反射ミラー２１４、ＤＭＤ(Digital Micromirror Device：登録商標。以下同様)２１５、及び投影レンズ２１６が配置される。
【０００４】
さらに、プロジェクタ２００は光源装置２に関して、図１１に示すような光源システム１を具備し、光源システム１は、光源装置２及びバラスト装置３を接続して構成されている。投射光の光源となる光源装置２は、ガラス製又は金属製の凹形状のリフレクタ４の内部に放電管５（放電ランプ）を配置している。放電管５は、一端部５ａにバラスト装置３の陽極側と接続される陽極接続部５ｃ、他端部５ｂに陰極接続部５ｄをそれぞれ設けており、また、中央箇所から一端部５ａ寄りの箇所にトリガー巻線６を取り付けている。
【０００５】
トリガー巻線６は、放電管５を巻回する巻回線部６ａから放電管５に沿って延出線部６ｂを延出し、延出線部６ｂの延出端を放電管５の陰極接続部５ｄに接続している。さらに、陰極接続部５ｄには引出線７が接続され、引出線７はリフレクタ４に設けられた貫通孔を通じてリフレクタ４の外方へ引き出されて、バラスト装置３の陰極側に接続される。
【０００６】
一方、バラスト装置３は、光源装置２への高電圧印加及び点灯に係る制御等を行うものであり、イグナイター３ａ、バラスト制御部３ｂ、及びスイッチング制御部３ｃを含む回路部３ｄを有する。バラスト装置３は、プロジェクタが具備する電源装置及びマイコンとそれぞれ接続され、電源装置から給電が行われると共にマイコンから制御信号が随時伝送される。
【０００７】
バラスト装置３とマイコンとの間は、マイコン保護のため電気的に絶縁されており、光源装置２を含むバラスト装置３側を充電部（一次側）、マイコン側を非充電部（二次側）に分けている。また、絶縁された状態でマイコンからバラスト装置３へ制御信号を伝送できるように、絶縁箇所における制御信号の伝送ラインには複数のフォトカプラ８ａ〜８ｃが介在する。なお、バラスト装置３に関連した従来の回路構成は下記の特許文献１乃至５に開示されており、光源装置２の従来構造に関しては下記の特許文献６に開示されている。また、光源装置２に金属製リフレクタが適用された場合で、始動時に発生するノイズ（不要輻射）の低減を係る構成が下記の特許文献７に開示されている。さらに、特許文献８では、リフレクタ内の放電管を、図１１に示す方向と直交的に配置した光源装置が下記の特許文献８に開示されている。
【特許文献１】特開２００２−２３１４７３号公報
【特許文献２】特開２０００−１２３９９１号公報
【特許文献３】特開２００３−１５１７８６号公報
【特許文献４】特開２００３−２４３１９５号公報
【特許文献５】特開平９−１９９２８８号公報
【特許文献６】特開平６−３１４５５５号公報
【特許文献７】特開２００４−３０３４６８号公報
【特許文献８】特開平２−５５３２５号公報
【発明の開示】
【発明が解決しようとする課題】
【０００８】
プロジェクタ内に配置する各種部品のレイアウトを設計する際、光源装置２に対しては規格により定められる絶縁距離を確保する必要性があるので、レイアウト設計が困難となり、プロジェクタの小型化が困難になると云う問題がある。具体的には、図１２（ａ）に示すようにリフレクタ３の外周面３ａから絶縁距離Ｌ（約７〜約１０ｍｍ）を確保する必要があるため、他の部品（基板等）を絶縁距離Ｌの範囲に重複しないように配置する必要があり、レイアウトの自由度に制限が生じる。
【０００９】
さらに、図１２（ｂ）に示すように、フロントプロジェクション方式のプロジェクタの場合、光源装置２のリフレクタ３が金属製のときは、プロジェクタのメンテナンス時にサービスマンがリフレクタ３に触れて感電しないようにするため、光源装置２は合成樹脂製の筐体９の内部に収納されることが多く、この点においてもプロジェクタの小型化を阻む要因になると共に、部品の増大化を招いている。また、このように、合成樹脂製の筐体９で金属製のリフレクタ３を被うことは、単に金属製のリフレクタ３を遠ざけているだけであり、抜本的な感電防止対策を実現していないと云う問題がある。
【００１０】
なお、光源装置２からは、放電管５の放電箇所を中心に不要輻射が発生するので、プロジェクタは、内部に配置する機器に対して不要輻射対策を厳重に行わねばならない。この不要輻射に関しては、特許文献７に係る光源装置では、放電管の陰極側と導通する外部リード棒又は補助リードを金属製のリフレクタに接続する構成で対応しているが、リフレクタの外周面を絶縁層で被覆して感電防止を図る必要が生じ、感電対策に手間がかかると共に、絶縁層で被覆する後追い的な感電防止対策に留まっている。さらに、特許文献７に係る光源装置は、放電管の陽極側を金属製のリフレクタに取り付ける構成のため、特許文献８に係る光源装置、及び、放電管の陰極側を金属製のリフレクタに取り付ける構成の光源装置には、特許文献７で開示される構成をそのまま適用できないと云う問題がある。
【００１１】
また、不要輻射は、放電管５だけでなく、バラスト装置３及びプロジェクタ内の各種回路等からも生じる。そのため、図１３に示すように、プロジェクタ２００は、筐体２００ａ自体をシールド構成にして不要輻射に対する遮蔽（シールド）を図っている。具体的には、図１１で、一次側に属する光源装置２及びバラスト装置３からなる光源システム１等を導電性の第１シールド部材２０１ａで被って一次側シールド部２０１を形成する一方、二次側に属するマイコンＭ等を第２シールド部材２０２ａで被って二次側シールド部２０２を形成している。しかし、図１３に示すシールド構成では、光源装置２から発する光を通過させるための大きな開口２０１ｂを第１シールド部材２０１ａに設ける必要があるため、開口２０１ｂの存在により一次側シールド部２０１のシールドが不完全になる。
【００１２】
なお、図１１に示すように、光源装置２の放電管５に巻回されるトリガー巻線６は、延出線部６ｂを放電管５に沿って配線され陰極接続部５ｄに接続されるので、トリガー巻線６に係る配線作業に手間を要する。
【００１３】
本発明は、斯かる問題に鑑みてなされたものであり、金属製リフレクタに対する感電を根本的に解消すると共に、規格に定められる絶縁距離を減少して従来に比べて小型化を達成可した光源装置、バラスト装置、光源システム、及び投影型画像表示装置を提供することを目的とする。
また、本発明は、不要輻射を抑制できるようにした光源装置、バラスト装置、光源システム、及び投影型画像表示装置を提供することを目的とする。
さらに、本発明は、トリガー巻線の配線形態の簡易化又は省略を図ることで、配線作業に要する手間の低減又は構成の簡易化を達成した光源装置を提供することを目的とする。
【課題を解決するための手段】
【００１４】
上記課題を解決するために本発明に係る光源装置は、一端に陽極接続部、他端に陰極接続部を有する放電管の他端を凹状の導電性リフレクタに形成した貫通孔に挿通して、前記放電管を前記導電性リフレクタの内部に配置した光源装置において、前記導電性リフレクタの外周面及び前記放電管の陰極接続部を接続する接続部材を備えることを特徴とする。
【００１５】
本発明にあっては、放電管の陰極接続部側を導電性リフレクタに取り付けると共に、その導電性リフレクタの外周面及び陰極接続部を接続するので、放電管の陰極接続部側を導電性リフレクタに取り付けた構成の光源装置でも、導電性リフレクタを陰極接続部と同電位にできる。その結果、放電管は陰極と同電位の導電性リフレクタにより被われることになり、放電管の放電箇所から発せられる不要輻射が導電性リフレクタでシールドされ、光源装置の周囲に対する不要輻射の影響を低減できる。
【００１６】
本発明に係る光源装置は、前記放電管は、一端が前記導電性リフレクタの内部へ突出するように配置してあり、前記放電管の一端側の周囲には、トリガー巻線が巻回してあり、前記トリガー巻線は、前記放電管に巻回した部分から延出させた端部を前記導電性リフレクタに接続してあることを特徴とする。
本発明にあっては、導電性リフレクタが陰極と同電位なので、トリガー巻線の延出させた端部を導電性リフレクタに接続できるようになる。その結果、トリガー巻線の接続先は従来のように放電管の陰極接続部に限定されることなく、放電管を広い範囲で被う導電性リフレクタの所望の箇所にトリガー巻線の延出した端部を接続する構成が可能となり、トリガー巻線の配線形態の自由度を向上させて効率的な配線作業を実現し、トリガー巻線の接続形態の簡易化を図れる。
【００１７】
本発明に係る光源装置は、前記放電管の長手方向が前記導電性リフレクタの凹状の頂点を通過する中心軸と直交するように、前記放電管は配置してあり、前記導電性リフレクタには、前記放電管の一端側の管部を外嵌する第１貫通孔及び前記放電管の他端側の管部を外嵌する第２貫通孔が形成してあることを特徴とする。
本発明にあっては、放電管の長手方向を導電性リフレクタの中心軸に直交させた光源装置に対して、導電性リフレクタの外周面及び陰極接続部を接続するので、導電性リフレクタを陰極接続部と同電位にして、放電管の放電箇所から発せられる不要輻射を導電性リフレクタでシールドできる。
【００１８】
本発明に係る光源装置は、前記放電管は、両端側の管部間にチャンバー部を形成しており、前記第１貫通孔の導電性リフレクタの内周面側の孔縁は、前記一端側の管部のチャンバー部側となる端部分を外嵌することを特徴とする。
【００１９】
本発明にあっては、第１貫通孔の内周面側の孔縁が、放電管のチャンバー部に近接する部分を外嵌するので、導電性リフレクタの貫通孔自体がトリガー巻線と同等の機能を発揮するようになり、トリガー巻線を省略できる構成を実現して、光源装置の構成の簡易化を図れる。
【００２０】
本発明に係る光源装置は、一端に陽極接続部、他端に陰極接続部を有する放電管の一端を凹状の導電性リフレクタに形成した貫通孔に挿通して、他端が前記導電性リフレクタの内部へ突出するように前記放電管を配置した光源装置において、前記導電性リフレクタ及び前記放電管の陰極接続部を接続する接続部材と、前記貫通孔の孔縁より前記導電性リフレクタの内部へ突出して前記放電管の一端側の管部を外嵌する外嵌部とを備えることを特徴とする。
【００２１】
本発明にあっては、導電性リフレクタを用いて、その導電性リフレクタ及び陰極接続部を接続するので、導電性リフレクタは陰極接続部と同電位にして、放電管から発せられる不要輻射が導電性リフレクタでシールドできると共に、貫通孔の孔縁から突出した外嵌部で放電管の陽極接続部側の管部を外嵌するので、外嵌部がトリガー巻線と同等の機能を発揮し、トリガー巻線自体を省略した構成を実現できる。
【００２２】
また、本発明に係る光源装置は、前記導電性リフレクタには、接地用の接地部が設けてあることを特徴とする。
本発明にあっては、接地部を導電性リフレクタに設けるので、導電性リフレクタの接地を容易に行えるようになり、接地部を用いて導電性リフレクタを接地した場合は、導電性リフレクタに触れても感電しなくなる。また、感電を防げることで光源装置を収納する合成樹脂製の筐体を不要にできる上、規格で定められる絶縁距離を減少することも可能となり、プロジェクタの小型化にも貢献できる。さらに、導電性リフレクタが接地されることで、放電管を被う導電性リフレクタによる不要輻射のシールド性をさらに向上できる。
【００２３】
本発明に係るバラスト装置は、電源装置からの給電に基づき光源装置へ印加する電圧の生成及び光源装置の点灯に係る制御を行う回路を有するバラスト装置において、電源装置に接続される側の一次側回路部と、該一次側回路部に対して絶縁してあり、光源装置へ印加する電圧の生成を行う二次側回路部と、前記一次側回路部及び二次側回路部の間で電力を伝送する電力伝送手段とを備えることを特徴とする。
【００２４】
本発明にあっては、バラスト装置が有する回路を一次側回路部及び二次側回路部に絶縁して区分けするので、従来のプロジェクタに対して絶縁箇所が相異するので、二次側回路部の二次側に光源装置も含まれることになる。その結果、二次側は、電源装置側の一次側とは絶縁されるため、一次側の電源装置に起因する光源装置の感電を解消すると共に、規格で定められる絶縁距離の減少を図れる。なお、絶縁状態で電力を伝送できる電力電送手段には、トランス又は圧電素子等を用いることが好適である。
【００２５】
また、本発明に係るバラスト装置は、前記一次側回路部は、定電力点灯に係るスイッチング制御を行うスイッチング制御部を備え、前記二次側回路部は、光源装置に印加する電圧を発生する電圧発生部及び該電圧発生部の電圧発生状況に基づいて前記スイッチング制御部へ信号を出力するバラスト制御部を備え、前記一次側回路部及び二次側回路部の間で信号を伝送する信号伝送手段を備えることを特徴とする。
【００２６】
本発明にあっては、バラスト装置の回路を一次側回路部及び二次側回路部に絶縁して区分けしても、信号伝送手段により各種信号を一次側及び二次側の回路部間で伝送できるため、従来と同様に点灯に係る制御を行える。なお、絶縁状態で信号を伝送する信号伝送手段には、フォトカプラ、又はパルストランス等を用いることが好適である。
【００２７】
本発明に係る光源システムは、上述した構成の光源装置と、該光源装置に接続してある上述した構成のバラスト装置とを備えることを特徴とする。
本発明にあっては、上述した構成の光源装置と、上述した構成のバラスト装置とを接続して光源システムを構成するので、両者の構成が相乗的に組み合わされて、光源装置の導電性リフレクタに対する感電を大幅に解消すると共に、規格により定められる絶縁距離をさらに減少でき、不要輻射も大幅に抑制できる。
【００２８】
また、本発明に係る光源システムは、導電性リフレクタに接地部を設けた光源装置と、該光源装置に接続してある上述した構成のバラスト装置とを備え、前記バラスト装置は、前記二次側回路部に二次側接地部を設けており、該二次側接地部に前記光源装置の接地部が接続してあることを特徴とする。
本発明にあっては、光源装置の接地部とバラスト装置の二次側回路部に設けられた二次側接地部を接続して光源システムを構成するので、光源装置の導電性リフレクタをバラスト装置の二次側回路部で接地できるようになり、確実な接地を実現して導電性リフレクタの感電防止を根本的に達成でき、その結果、規格で定められる絶縁距離も減少可能となり、不要輻射も確実に抑えることができる。
【００２９】
本発明に係る光源システムは、一端に陽極接続部及び他端に陰極接続部を有する放電管と、該放電管を内部に配置する凹状の導電性リフレクタと、該導電性リフレクタ及び前記放電管の陰極接続部を接続する接続部材と、前記導電性リフレクタに設けてある接地用の接地部とを備える光源装置と、該光源装置に接続してある前記請求項７又は請求項８に記載のバラスト装置とを備え、前記バラスト装置は、前記二次側回路部に二次側接地部を設けており、該二次側接地部に前記光源装置の接地部が接続してあることを特徴とする。
本発明にあっては、導電性リフレクタに放電管の陰極接続部を接続した光源装置に接地部を設け、その接地部をバラスト装置の二次側回路部の二次側接地部を接続するので、光源装置の導電性リフレクタが、電気的に一次側と絶縁された二次側で接地されることになり、確実な接地を実現して導電性リフレクタの感電防止を根本的に達成できる。また、それに伴い、絶縁距離を減少させると共に、不要輻射も抑制できる。
【００３０】
本発明に係る投影型画像表示装置は、上述した構成の光源システムと、該光源装置から発せられる光で画像に係る変調光を生成する空間光変調素子と、該空間光変調素子が生成した変調光を被投影体へ投影する投影レンズと、前記光源システムの一次側回路部をシールドする一次側シールド部と、前記光源システムの光源装置及び二次側回路部をシールドする二次側シールド部とを備え、前記二次側シールド部には、光源装置から発せられる光を通過させる開口が設けてあることを特徴とする。
【００３１】
本発明にあっては、光源システムに含まれるバラスト装置が、ハード的に一次側回路部と二次側回路部に分かれているので、一次側回路部と、二次側回路部及び光源装置とを別々にシールドできるようになる。このように分けてシールドすれば、一次側シールド部でシールドされる範囲には、光源装置から照射される光を通過させる大きな開口を設ける必要がなくなり、一次側回路部は強固なシールドを確保でき、それに伴い、一次側回路部に対する不要輻射を従来に比べて抑制できる。
【発明の効果】
【００３２】
本発明にあっては、陰極接続部側を導電性リフレクタに取り付けた形態の光源装置が、導電性リフレクタ及び陰極接続部に接続して陰極と同電位にするので、光源装置の周囲に対する不要輻射の影響を導電性リフレクタで遮蔽できる。
また、本発明にあっては、トリガー巻線の延出させた端部を、導電性リフレクタに接続するので、トリガー巻線による放電管の良好な始動性を確保した上でトリガー巻線の配線形態を簡易化できる。
【００３３】
本発明にあっては、放電管の長手方向を導電性リフレクタの中心軸に直交させた光源装置に対して、導電性リフレクタの外周面及び陰極接続部を接続して、導電性リフレクタを陰極接続部と同電位にするので、放電管の放電箇所から発せられる不要輻射を導電性リフレクタで遮蔽できる。
本発明にあっては、第１貫通孔の内周面側の孔縁が、放電管のチャンバー部に近接する部分を外嵌するので、導電性リフレクタの貫通孔にトリガー巻線と同等の機能を発揮させて、トリガー巻線自体を省略した構成を実現できる。
【００３４】
本発明にあっては、光源装置に適用した導電性リフレクタ及び陰極接続部を接続して、導電性リフレクタを陰極接続部と同電位にするので、放電管からの不要輻射を導電性リフレクタでシールドできると共に、貫通孔の孔縁から突出した外嵌部にトリガー巻線と同等の機能を発揮させて、トリガー巻線自体を省略できる。
本発明にあっては、導電性リフレクタに接地部を設けるので、導電性リフレクタの接地が容易になり、導電性リフレクタを接地した場合は、導電性リフレクタに対する感電を防止でき、放電に伴う不要輻射も導電性リフレクタで一段と抑制できる。
【００３５】
本発明にあっては、バラスト装置が有する回路を一次側回路部及び二次側回路部に絶縁して区分けするので、二次側に含まれる光源装置の感電を解消できると共に、規格で定められる絶縁距離を減少でき、その上、光源装置の不要輻射を従来に比べて抑制できる。
また、信号伝送手段により各種信号を一次側及び二次側の回路部間で伝送するので、絶縁して区分けした回路部間で点灯に係る制御に要する信号送受をスムーズに行える。
【００３６】
本発明にあっては、新たな構成の光源装置及び新たな構成のバラスト装置を接続して光源システムを構築するので、両者の構成が相乗的に組み合わされて、感電防止を大幅に解消できると共に、規格により定められる絶縁距離をさらに減少でき、不要輻射も大幅に抑制できる。
また、本発明にあっては、光源装置の導電性リフレクタに設けた接地部をバラスト装置の二次側回路部に設けられた二次側接地部に接続して光源システムを構成するので、確実な接地を簡単な接続構成で実現でき、光源装置の導電性リフレクタに対する感電を抜本的に解消できると共に、不要輻射も確実に抑制できる。
【００３７】
本発明にあっては、導電性リフレクタに放電管の陰極接続部を接続した光源装置が導電性リフレクタに設けた接地部をバラスト装置の二次側回路部の二次側接地部を接続するので、光源装置の導電性リフレクタが、電気的に一次側と絶縁された二次側で接地されることになり、確実な接地を実現して導電性リフレクタの感電を根本的に防止でき、それに伴い、絶縁距離の減少及び不要輻射の抑制も達成できる。
【００３８】
本発明にあっては、光源システムに含まれるバラスト装置が、ハード的に一次側回路部と二次側回路部に分かれているので、一次側回路部と、二次側回路部及び光源装置とを別々にシールドすることにより、光源装置が含まれない一次側回路部側を強固にシールドでき、一次側回路部に対する不要輻射を抑制できる。
【発明を実施するための最良の形態】
【００３９】
図１は、本発明の実施形態に係る光源システム１０の構成を示すブロック図である。本実施形態の光源システム１０は、フロントプロジェクション方式及びリアプロジェクション方式の両方式のプロジェクタに適用可能であり、光源装置１１のトリガー巻線に係る配線形態を従来に比べて簡略化すると共に、バラスト装置１２の内部を充電部（一次側）及び非充電部（二次側）に電気的に絶縁して区分けしたことを特徴としている。本実施形態は、図１の光源システム１０が、フロントプロジェクション方式のプロジェクタ（図９参照）に適用された場合で説明している。
【００４０】
図２は、本実施形態に係る光源装置１１を示し、光源装置１１は、凹状の導電性リフレクタ１３の内部に放電管１４を配置している。導電性リフレクタ１３はアルミニウムのような金属製であり、大径側の開口１３ａに防爆ガラス１８を取り付けて光源装置１１を防爆仕様にしている。また、導電性リフレクタ１３は頂部側に放電管１４を取り付けるため、突出した形状の筒部１３ｂを一体的に設けている。
【００４１】
放電管１４は、本実施形態では超高圧水銀ランプが適用されており、石英ガラス製で両側の内部が封止された管の中央に拡径した球状のチャンバー部１４ｅを形成し、チャンバー部１４ｅの内部に正極１４ｆ及び負極１４ｇを対向配置している。また、放電管１４は、一端部１４ａに正極１４ｆと導通させた陽極接続部１４ｃを設け、他端部１４ｂに陰極１４ｇと導通させた陰極接続部１４ｄを設けている。
【００４２】
放電管１４は、一端部１４ａが導電性リフレクタ１３の筒部１３ｂの貫通孔１３ｃに挿通されると共に、一端部１４ａと貫通孔１３ｃとの間に絶縁材１９を介在させて、放電管１４の他端部１４ｂ側が導電性リフレクタ１３の内部へ突出するように固定される。
【００４３】
また、放電管１４のチャンバー部１４ｅ近傍の一端部１４ａ寄りの箇所には、点灯性を高めるためにトリガー巻線１５が取り付けられている。トリガー巻線１５は、チャンバー部１４ｅの近傍周囲を巻回する巻回線部１５ａから延出する延出線部１５ｂを有し、延出線部１５ｂの端部１５ｃを導電性リフレクタ１３の内面１３ｄに接続している。
【００４４】
延出線部１５ｂの端部１５ｃの接続先は、導電性リフレクタ１３であれば、特に制限は無いため、従来のように放電管１４に沿わす必要性から解放され、延出線部１５ｂの配線作業は従来に比べて容易になっている。なお、光源装置１１の発光性能をシビアに考慮した場合は、延出線部１５ｂが放電管１４の発光領域及び導電性リフレクタ１３の反射領域とできるだけ干渉しないように、チャンバー部１４ｅより一端部１４ａ側となる範囲で延出線部１５ｂを導電性リフレクタ１３へ向けて配線することが好適である。
【００４５】
さらに、放電管１４は陰極接続部１４ｄに、導通性を有する接続線１６（接続部材に相当）の一端１６ａを接続し、接続線１６の他端１６ｂは導電性リフレクタ１３の内面１３ｄに接続している。このように接続線１６で陰極接続部１４ｄ及び導電性リフレクタ１３を繋ぐように接続することで、陰極接続部１４ｄ及び導電性リフレクタ１３は電気的に同電位となり、導電性リフレクタ１３のシールド特性を向上でき、また、導電性リフレクタ１３を介してトリガー巻線１５の延出線部１５ｂは放電管１４の陰極接続部１４ｄと接続されることになり、配線形態を簡易化したトリガー巻線１５で放電管１４の点灯性を高めることが可能になる。
【００４６】
さらにまた、光源装置１１は、導電性リフレクタ１３の外面１３ｆに接地線１７を接続するために突出した接地部１３ｈを形成し、この接地部１３ｈに接地線１７の一端１７ａを接続すると共に、他端１７ｂをバラスト装置１２の二次側となるグランド接続部１２ｅ（二次側接地部に相当）に接続して、導電性リフレクタ１３をグランドレベルにしている。なお、光源装置１１に関しては、電力線Ｄにより放電管１４の陽極接続部１４ｃとバラスト装置１２のプラス側（陽極端子）とが接続されており、接地線１７により導電性リフレクタ１３の外面１３ｆとバラスト装置１２のマイナス側（陰極端子）とが接続され、光源装置１１に係る点灯回路が形成されている。
【００４７】
一方、図１に示すバラスト装置１２は、内部の回路が絶縁部１２ｄにより一次側回路部１２ａと、二次側回路部１２ｂに絶縁して区分けされている。一次側回路部１２ａは、商用電源と繋がれてバラスト装置１２へ電力を供給する電源装置と接続されており、所定のコントロール信号を受けてＰＷＭ制御又は周波数制御等の定電力点灯に係るスイッチング制御処理を行うスイッチング制御部２０を有する。また、二次側回路部１２ｂは光源装置１１と接続されており、光源装置１１へ印加する点灯用の高電圧は発生するイグナイター２１と、イグナイター２１の電圧発生状況に基づいて定電力で点灯を行うようにコントロール信号をスイッチング制御部２０へ出力するバラスト制御部２２を有する。
【００４８】
バラスト装置１２は、絶縁されている一次側回路部１２ａと二次側回路部１２ｂとの間の電力が伝送される電力ラインに、トランス２３（電力伝送手段に相当）を介在させている。トランス２３は、両回路部１２ａ、１２ｂを絶縁した状態で、一次側回路部１２ａから二次側回路部１２ｂで電力を伝送する処理を行う。また、トランス２３の二次側回路部１２ｂには接地電圧の陰極部１２ｃが設けてあり、この陰極部１２ｃに光源装置１１と接続された接地線１７が導通接続されると共に、グランド接続部１２ｅも接続されている。なお、光源装置１１に接続された電力線Ｄはイグナイター２１の陽極端子部に接続されている。
【００４９】
また、バラスト装置１２は、一部の信号ラインとしてマイコンからの信号線Ｌ３をバラスト制御部２２へ接続させると共に、バラスト制御部２２及びスイッチング制御部２０の間は、フォトカプラ２４を介して信号線Ｌ１、Ｌ２で接続している。フォトカプラ２４は、絶縁状態の両回路部１２ａ、１２ｂを中継して信号を伝送できる構造になっており、具体的には、バラスト制御部２２から信号線Ｌ１を通じて伝送されたコントール信号を中継して、信号線Ｌ２を通じてスイッチング制御部２０へ伝送すると共に、逆方向へも同様に信号を伝送できるようにしている。
【００５０】
なお、バラスト装置１２では、バラスト制御部２２も一次側に含ませるようにして、一次側と二次側に分けることも可能であるが、このようにすると、二次側に存在するマイコンと、一次側に存在するバラスト制御部２２とを接続する多数の信号線毎にフォトカプラを設ける必要が生じるため、フォトカプラの個数が図１に示す構成に比べて格段に多くなる上、回路構成も複雑になる。そのため、本実施形態では、バラスト制御部２２を二次側に配置して、マイコンとバラスト制御部２２との間は直接的に接続すると共に、バラスト制御部２２に接続される信号線数が少ないスイッチング制御部２０だけを一次側に配置することで、フォトカプラ数を最小に抑えている。
【００５１】
本実施形態に係る光源システム１０は、上述した構成により、一次側と二次側に区分けされる領域が存在し、二次側には光源装置１１が含まれること、及び光源装置１１の導電性リフレクタ１３がバラスト装置１２の二次側に設けられたグランド接地部１２ｅで接地されることにより、光源装置１１の導電性リフレクタ１３に触れても感電しなくなり、感電を根本的に防止し、図１２（ｂ）に示す感電防止用の筐体９を不要にできると共に、放電に伴う不要輻射を導電性リフレクタ１３で遮蔽できる。さらに、導電性リフレクタ１３が電位的にグランドレベルとなることで、導電性リフレクタ１２の周囲に設ける絶縁距離も従来に比べて小さくでき、プロジェクタの全体的な構成の簡易化及び小型化を進めることができる。
【００５２】
図３は、上述した構成の光源システム１０を、本実施形態のプロジェクタ１００の筐体１００ａに配置した状態を概略的に示しており、プロジェクタ１００は、筐体１００ａ自体をシールド構成にしている。
【００５３】
詳しくは、バラスト装置１２の一次側のバラスト装置充電部１２１（一次側回路部１２ａ及びスイッチング制御部２０を含む）及び電源装置（図示せず）等の一次側に含まれるものを第１シールド部材１０１ａで完全に被って一次側シールド部１０１を形成している。また、バラスト装置１２の二次側になるバラスト装置非充電部１２２（二次側回路部１２ｂ、イグナイター２１、及びバラスト制御部２２を含む）、光源装置１１、及びマイコンＭ等の二次側に含まれるものを第２シールド部材１０２ａで被って二次側シールド部１０２を形成している。なお、二次側シールド部１０２の第２シールド部材１０２ａは、光源装置１１から発せられる光を通過させる開口１０２ｂを設けている。また、図３では、トランス２３及びフォトカプラ２４の図示は省略している。
【００５４】
このようにプロジェクタ１００の筐体１００ａ内では、バラスト装置１２が構成的に一次側と二次側に分かれることを利用して、バラスト装置充電部１２１を一次側シールド部１０１に含ませる一方、バラスト装置非充電部１２２を二次側シールド部１０２に含ませるようにしている。そのため、図１３に示す従来のシールド構成に比べると、一次側シールド部１０１には光源装置１１が含まれないため、第１シールド部材１０１ａに光源装置１１用の大きな開口を設ける必要がなくなり、一次側シールド部１０１のシールド性を従来に比べて強固にできる。それに伴い、バラスト装置１２のバラスト装置充電部１２１に対する不要輻射の影響を低減している。
【００５５】
なお、図３に示すプロジェクタ１００は、図示していないが、図１０に示すような、カラーホイール２１０、ロッドレンズ２１１、コンデンサレンズ２１２、ＴＩＲプリズム２１３、反射ミラー２１４、ＤＭＤ２１５、及び投影レンズ２１６等で構成される光学系を含んでいる。この光学系では、上述した光源システム１０に含まれる光源装置１１から発せられる光で、ＤＭＤ１０が画像に係る変調光を生成し、生成した変調光を投影レンズ２１６から外部のスクリーン（被投影体）へ投影する。
【００５６】
本発明に係る光源システム１０、光源装置１１、及びバラスト装置１２は、上述した構成に限定されるものではなく、種々の変形例の適用が可能である。例えば、光源装置１１からは、トリガー巻線１５を省略することも可能であり、また、バラスト装置１２においては、トランス２３の替わりに圧電素子を用いて絶縁状態で電力を伝送するようにしてもよい。このように圧電素子を用いることで、バラスト装置１２の軽量化及び小型化をさらに進めることができる。さらに、バラスト装置１２においては、フォトカプラ２４の替わりにパルストランスを用いて絶縁状態で各種信号を確実に伝送するようにしてもよい。
【００５７】
図４は、変形例の光源装置３１を示しており、この光源装置３１では、放電管３４の陽極接続部３４ｃ及び陰極接続部３４ｄの配置を図２に示す状態と逆にしていることが特徴である。即ち、放電管３４は導電性リフレクタ３３の筒部３３ｂ内の貫通孔３３ｃに陰極接続部３４ｄを設けた他端部３４ｂ側を挿通して取り付けており、陰極接続部３４ｄには接続線３８の一端部３８ａを接続すると共に、導電性リフレクタ３３の筒部３３ｂの外周面に接続線３８の他端部３８ｂを接続し、導電性リフレクタ３３を陰極接続部３４ｄと同電位にしている。
【００５８】
また、放電管３４の突出側となる一端部３４ａ側の管部３４ｈにおけるチャンバー部３４ｅへの近傍箇所の周囲にはトリガー巻線３５の巻回部３５ａを巻回し、巻回部３５ａから延出する延出線部３５ｂの端部３５ｃを導電性リフレクタ３３の内面３３ｄに接続し、間接的にトリガー巻線３５を陰極接続部３４ｄに接続している。さらに、突出側となる放電管３４の一端部３４ａに設けた陽極接続部３４ｃには引出線３６の一端３６ａを接続している。なお、引出線３６は、導電性リフレクタ３３に形成される孔３３ｅに嵌合された筒状の絶縁部材３９の内部を通じて導電性リフレクタ３３の外方へ引き出されている。
【００５９】
さらに、導電性リフレクタ３３の外面３３ｆには接地部３３ｈを突設し、この接地部３３ｈに接地線３７の一端３７ａを接続し、他端３７ｂはバラスト装置１２のグランド接地部１２ｅに接続し、導電性リフレクタ３３の電位をグランドレベルにしている。なお、変形例の光源装置３１は、プラス接続線Ｄ１により引出線３６の引き出された他端３６ｂとバラスト装置１２のプラス側が接続されると共に、マイナス接続線Ｄ２により放電管３４の陰極接続部３４ｄとバラスト装置１２のマイナス側が接続されて所定の点灯回路が形成される。
【００６０】
よって、図４の変形例の光源装置３１も本発明に係るバラスト装置１２と接続されて感電の解消、不要輻射の抑制、及び絶縁距離の減少を達成できると共に、トリガー巻線３５に係る配線及び接続形態を簡易化できる。なお、図４の変形例の光源装置３１でも、トリガー巻線３５を省略した構成を適用できる。また、図２、図４では、防爆仕様の光源装置１１、３１を示したが、本発明は防爆仕様でない光源装置にも勿論適用可能である。また、図２、４に示す光源装置１１、３１は、図１１に示すような従来のバラスト装置３とも接続可能であり、この場合、導電性リフレクタ１３、３３をプロジェクタ自体に係る接地部で接地することになる。なお、従来のバラスト装置３に接続した場合でも、接地される導電性リフレクタ１３、３３により不要輻射の抑制及び感電防止を図ることができ、絶縁距離も減少できる。
【００６１】
さらに、本発明に係るバラスト装置１２は、図５に示す放電管４４の長手方向が導電性リフレクタ４３の頂点４３ｉを通過する中心軸４１ａ（光源装置の光軸と平行な軸）と直交するような位置関係になる光源装置４１に対しても、図２、図４の光源装置１１、３１と同様な接続形態を確立することで、感電の解消、不要輻射の抑制、及び絶縁距離の減少と云う効果の達成が可能である。
【００６２】
光源装置４１では、導電性リフレクタ４３の対向箇所に放電管４４の取付用の穴（貫通孔に相当）４３ａ、４３ｂが形成され、各穴４３ａ、４３ｂに放電管４４の各端部４４ａ、４４ｂを嵌合することで放電管４４の取り付けが行われる。また、放電管４４の一端部４４ａの陽極接続部４４ｃは、バラスト装置１２のプラス側と接続し、他端部４４ｂの陰極接続部４４ｄはバラスト装置１２のマイナス側と接続すると共に、導通性を有する接続線４６で、導電性リフレクタ４３の外周面４３ｆに設けた突出部４３ｈに接続する。さらに、突出部４３ｈ（接地部も兼ねる）は、接地線４７でバラスト装置１２のグランド接地部１２ｅに接続し、導電性リフレクタ４３の電位をグランドレベルにしている。なお、光源装置４１も、他の光源装置１１、３１と同様に、図１１に示す従来のバラスト装置３にも接続できる。
【００６３】
また、図６（ａ）（ｂ）に示す光源装置５１は、図５に示すような光軸に対して放電管が直交的に配置されるタイプの別の変形例を示している。この光源装置５１は、放電管５４の両側の管部５４ｈ、５４ｉを外嵌する範囲を図５の光源装置４１に比べて長くすることで、一端部５４ａに陽極接続部５４ｃを設けた側の管部５４ｈ（封止部）を外嵌する貫通孔５３ｆにトリガー巻線と同等の機能を持たせたことが特徴である。
【００６４】
光源装置５１の凹状の導電性リフレクタ５３は、放電管５４を取り付ける貫通孔５３ｆ、５３ｇを径方向に二分割するように第１リフレクタ部５３ａと第２リフレクタ部５３ｂとに分かれており（図６（ｂ）参照）、各貫通孔５３ｆ、５３ｇを内部に形成する筒部５３ｄ、５３ｅを外周面５３ｃより突出している。このように筒部５３ｄ、５３ｅを設けることで、図７に示すように、貫通孔５３ｆの孔深さＬ２を、放電管５４の一端部５４ａ側の管部５４ｈの長さＬ１に比べて少し短い程度の寸法を確保し、貫通孔５３ｆにおける導電性リフレクタ５３の内周面側の孔縁５３ｋを、放電管５４のチャンバー部５４ｅ（両側の管部５４ｈ、５４ｉ間に形成される部分）に、図５の構成に比べて近接させた配置にしている。なお、光源装置５１では、放電管５４の他端部５４ｂ側の管部５４ｉも、導電性リフレクタ５４の他方の貫通孔５３ｇで、上記と同様に外嵌されている。
【００６５】
放電管５４の一端部５４ａ側では、貫通孔５３ｆの孔縁５３ｋが、一端部５４ａの管部５４ｈにおけるチャンバー部５４ｅ側の端部分５４ｆを外嵌し、且つ、貫通孔５３ｆは、導電性を有する導電性リフレクタ５３の一部であることから、貫通孔５３ｆの孔縁５３ｋ側の内周面部分が、丁度、図２に示す導電性リフレクタ１３に接続されたトリガー巻線１５と同等の機能を発揮することになる。そのため、図６に示す光源装置５１は、トリガー巻線を省略して構成の簡易化を図る一方、導電性リフレクタ５３の貫通孔５３ｆにより放電管５４の点灯性を良好にしている。
【００６６】
なお、図６の光源装置５１におけるその他の構成は、図５に示す光源装置４１とほぼ同等であり、先ず、図６（ｂ）に示すように、導電性リフレクタ５３の分割状態で放電管５４を挟み込んで第１リフレクタ部５３ａ及び第２リフレクタ部５３ｂを一体化すると共に、導電性リフレクタ５３の貫通孔５３ｆ、５３ｇに放電管５４の両側の管部５４ｈ、５４ｉを挿通配置する。この際、第１リフレクタ部５３ａ及び第２リフレクタ部５３ｂを接着剤、ネジ止め等により固着すると共に、放電管５４の管部５４ｈ、５４ｉの外周に熱伝導性の良好な固着剤５９を塗布して放電管５４を固定している（図６（ａ）参照）。このように放電管５４を固定することで、放電管５４は、凹状の導電性リフレクタ５３の頂点５３ｉを通過する中心軸５１ａ（光源装置５１の光軸に平行な軸）に対して直交的な配置になる。
【００６７】
また、放電管５４の一端部５４ａ側の陽極接続部５４ｃは、電力線Ｄでバラスト装置１２のプラス側と接続され、他端部５４ｂ側の陰極接続部５４ｄは、バラスト装置１２のマイナス側に接続される。さらに、陰極接続部５４ｄは、導通性を有する接続線５７ａで、導電性リフレクタ５３の外周面５３ｃに設けた突出部５３ｈに接続される一方、突出部５３ｈ（接地部も兼ねる）は、接地線５７ｂでバラスト装置１２の二次側のグランド接地部（ＧＮＤ）に接続されて、導電性リフレクタ５３の電位をグランドレベルにしている。
【００６８】
なお、図６（ａ）（ｂ）、図７に示す光源装置５１では、貫通孔５３ｆの孔深さＬ２は、放電管５４の管部５４ｈの長さＬ１に対して、０．６倍以上の長さを確保することが、貫通孔５３ｆの孔縁５３ｋをチャンバー部５４ｅに近接させて、トリガー巻線と同等の機能させるために重要となる。また、上述した長さを確保することで、放電管５４が発光に伴い生じさせる熱を、大きい外嵌面積を有する貫通孔５３ｆを通じて管部５４ｈから導電性リフレクタ５３へ効率的に移動させることができ、放電管５４の放熱特性も向上する。この放熱に関しては、他方の貫通孔５３ｇでも同様に生じる。さらに、図５に示す光源装置４１及び図６（ａ）（ｂ）、図７に示す光源装置５１では、図示していないが、照射される光束の焦点等を調整するレンズを設けてもよく、さらにはレンズ機能を有する防爆ガラスを用いることも可能である。
【００６９】
図８に示す光源装置６１は、図２に示す光源装置１１の変形例であり、トリガー巻線１５の替わりに、導電性リフレクタ６３の内周面６３ｄより放電管６４の一端部６４ａ側の管部６４ｈ（封止部）を外嵌する外嵌部６３ｋを突出したことが特徴である。詳しくは、導電性リフレクタ６３の放電管６４を取り付ける筒部６３ｂの内部に設けた貫通孔６３ｃの内周面６３ｄ側の孔縁６３ｉより、光源装置６１の光軸方向へ導通性を有する外嵌部６３ｋを突出している。
【００７０】
外嵌部６３ｋの突出寸法は、放電管６４の一端部６４ａ側の管部６４ｈにおけるチャンバー部６４ｅ側の端部分６４ｆを外嵌できるように設定している。これにより、外嵌部６３ｋは、図２に示す導電性リフレクタ１３に接続されたトリガー巻線１５と同等の機能を発揮し、外嵌部６３ｋにより放電管６４の点灯性を良好にしている。なお、外嵌部６３ｋは、放電管６４が発する熱を管部６４ｈから奪い取り、放電管６４の放熱性を高める働きも行っている。また、外嵌部６３ｋは、導電性リフレクタ６３と一体に形成する以外に、別体で設けたパイプ状で且つ導電性を有する外嵌部６３ｋを図２に示すような導電性リフレクタ１１に接合する構成も可能である。
【００７１】
なお、図８に示す光源装置６１は、上述した構成以外は、図２の光源装置１１と同様であり、放電管６４の陽極接続部６４ｃを電力線Ｄでバラスト装置１２のプラス側と接続し、他端部６４ｂ側の陰極接続部６４ｄを接続線６６（接続部材に相当）で導電性リフレクタ６３に接続し、導電性リフレクタ６３の外周面６３ｆに設けた接地部６３ｈに接地線６７を接続し、バラスト装置１２のグランド接続部１２ｅ及びマイナス側に接続している。
【００７２】
また、本実施形態に係るバラスト装置１２については、図１１に示す従来の構成の光源装置２にも接続可能であり、従来の光源装置２と接続した場合でも、不要輻射をある程度抑制できると共に、ある程度の感電防止及び絶縁距離の減少を図ることが可能である。
【図面の簡単な説明】
【００７３】
【図１】本発明の実施形態に係る光源システムの構成を示すブロック図である。
【図２】実施形態の光源装置の構成を示す断面図である。
【図３】実施形態に係るプロジェクタ内部のシールド構造を示す概略図である。
【図４】変形例の光源装置の構成を示す断面図である。
【図５】本発明のバラスト装置に適用可能な別の変形例に係る光源装置を示す概略断面図である。
【図６】（ａ）は別の変形例に係る光源装置の断面図であり、（ｂ）は、（ａ）のＡ方向からの視図である。
【図７】放電管の取付箇所の詳細を示す要部断面図である。
【図８】別の変形例に係る光源装置を示す断面図である。
【図９】従来のプロジェクタの外観を示す斜視図である。
【図１０】プロジェクタの光学系の構成を示す概略図である。
【図１１】従来の光源システムの構成を示すブロック図である。
【図１２】（ａ）は光源装置に係る絶縁距離を説明する概略図であり、（ｂ）は光源装置を収納したボックス状の筐体を示す斜視図である。
【図１３】従来のプロジェクタ内部のシールド構造を示す概略図である。
【符号の説明】
【００７４】
１０  光源システム
１１  光源装置
１２  バラスト装置
１２ａ  一次側回路部
１２ｂ  二次側回路部
１３  導電性リフレクタ
１４  放電管
１５  トリガー巻線
１６  接続線
１７  接地線
２０  スイッチング制御部
２１  イグナイター
２２  バラスト制御部
２３  トランス
２４  フォトカプラ
１０１  一次側シールド部
１０２  二次側シールド部
１２１  バラスト装置充電部
１２２  バラスト装置非充電部
【図１】
2006286594.tif 000003
【図２】
2006286594.tif 000004
【図３】
2006286594.tif 000005
【図４】
2006286594.tif 000006
【図５】
2006286594.tif 000007
【図６】
2006286594.tif 000008
【図７】
2006286594.tif 000009
【図８】
2006286594.tif 000010
【図９】
2006286594.tif 000011
【図１０】
2006286594.tif 000012
【図１１】
2006286594.tif 000013
【図１２】
2006286594.tif 000014
【図１３】
2006286594.tif 000015